(57)【要約】【課題】使用時に着座者の視界を妨げることがない位置であって、かつ乗員の頭部を支持することを可能とする位置に側部が位置した状態、すなわち側部がヘッドレスト本体に対して鈍角をなした状態に位置した場合であっても、スピーカー３から着座者の耳への音の伝達性が高いヘッドレストスピーカーを提供する。【解決手段】本発明は、ヘッドレスト本体１の左右に、それぞれスピーカー３を内蔵した側部２を有する。側部２がヘッドレスト本体１に対して着座者側へ水平回動する際、スピーカー３も、側部２の前面に対して着座者側へ回動するよう構成されている。【選択図】        図２
2005058287.tif 000002
【特許請求の範囲】
【請求項１】
ヘッドレストにおける着座者の頭部に当接するヘッドレスト本体と、前記ヘッドレスト本体の左右方向に、前記ヘッドレスト本体に対して水平方向の回動を可能に連結された側部が設けられ、前記側部にスピーカーを備えているスピーカー付きヘッドレストにおいて、前記スピーカーは、前記側部に固定されて垂直方向に延びる回動軸を中心として前記側部に対して水平回動可能としたことを特徴とするスピーカー付きヘッドレスト。
【請求項２】
前記側部のヘッドレスト本体に対する水平回動に連動して、前記スピーカーが、前記側部に対して水平回動することを特徴とする請求項１記載のスピーカー付きヘッドレスト。
【請求項３】
前記スピーカーの端部が前記ヘッドレスト本体に連結されていることを特徴とするス請求項２記載のスピーカー付きヘッドレスト。
【発明の詳細な説明】
【０００１】
【発明が属する技術分野】
本発明は、座席におけるスピーカー付きヘッドレストに関するものである。
【０００２】
【従来の技術】
例えば、以下の特許文献１に示すような、乗物用ヘッドレストが公知となっている。この技術では、ヘッドレスト本体の左右の側面に夫々角度変更可能に、スピーカを固定した側部を設けたものであって、側部をヘッドレスト本体と直線状に配置される位置と、ヘッドレスト本体に対し略垂直に配置される位置との間で角度変更可能とする機構を有している。そして、通常は側部をヘッドレスト本体と直線状に配置し、スピーカーを使用して音楽等を楽しむ際には、側部をヘッドレスト本体に対し略垂直位置としている。
【０００３】
【特許文献１】
特開２００１−  １１２５７２
【０００４】
【発明が解決しようとする課題】
前記従来技術では、側部にスピーカーが固定されている為、スピーカーを着座者の耳に指向させるべく側部をヘッドレスト本体に対して略垂直に位置させた状態の場合、側部が頭部の直近に位置することとなる為、着座者の左右の視界が妨げられることとなる。一方、乗員の視界を妨げることなく乗員の頭部を支持する為、側部をヘッドレスト本体に対して鈍角をなした状態に位置させた場合、スピーカーは着座者の耳から離れた方向を向くこととなり、スピーカーから着座者の耳への音の伝達性を損うこととなる。
【０００５】
【発明の目的】
そこで、本発明は、着座者の左右の視界を妨げることなく乗員の頭部を支持することを可能とする位置に側部を位置した状態、すなわち側部がヘッドレスト本体に対して鈍角をなした状態に位置する場合であっても、スピーカーから着座者の耳への音の伝達性を損うことのないスピーカー付きヘッドレストを提供することを目的とする。
【０００６】
【課題を解決するための手段および効果】
前記目的を達成すべく請求項１に記載した本発明は、ヘッドレストにおける着座者の頭部に当接するヘッドレスト本体と、前記ヘッドレスト本体の左右方向に、前記ヘッドレスト本体に対して水平方向の回動を可能に連結された側部が設けられ、前記側部にスピーカーを備えているスピーカー付きヘッドレストにおいて、前記スピーカーは、前記側部に固定されて垂直方向に延びる回動軸を中心として前記側部に対して水平回動可能としたことを特徴とするものである。
【０００７】
これにより、着座者は、前記側部が乗員の視界を妨げることなく乗員の頭部を支持することを可能とする位置、すなわち側部がヘッドレスト本体に対して鈍角をなした状態に位置する場合であっても、その角度に合わせて、前記スピーカーを着座者の耳の方向に向けることができる為、スピーカーから着座者の耳への音の伝達性を高めることができる。
【０００８】
次に、前記目的を達成すべく請求項２に記載した本発明は、請求項１におけるヘッドレスト付きスピーカーにおいて、前記側部のヘッドレスト本体に対する水平回動に連動して、前記スピーカーが、前記側部に対して水平回動することを特徴とするものである。
【０００９】
これにより、スピーカーの水平回動が、側部の回動によって自動的になされる為、例えば、側部２の回動とスピーカ３の回動操作を別々に行う場合に比べて操作性を高めることができる。
【００１０】
さらに、請求項３に記載した本発明は、請求項２におけるヘッドレスト付きスピーカーにおいて、前記スピーカーの端部が前記ヘッドレスト本体に連結されていることを特徴とするものである。
【００１１】
これにより、側部とスピーカーの水平回動の連動を簡易的な機構で達成することができる。
【００１２】
【発明の実施の形態】
以下、本発明の第一の実施の形態を図面に基づいて説明する。
【００１３】
図１は、本発明におけるスピーカー付きヘッドレストの斜視図である。このスピーカー付きヘッドレストは、車両用座席の背もたれ上部に固定されるものであって、着座者の頭部に直接接触して着座者の頭部を支持するヘッドレスト本体１と、ヘッドレスト本体１の両側に水平方向着座者側へ回動可能に固定される側部２と、前記側部２のそれぞれ前面に固定されるスピーカー３から構成されるものである。なお、図１（ａ）は側部２の前面がヘッドレスト本体１の前面に対してほぼ面一な状態（以下通常状態と記す）で、図１（ｂ）は側部２の前面がヘッドレスト本体１の前面に対して鈍角をなしている状態（以下使用状態と記す）を示している。
【００１４】
このヘッドレスト本体１は、主にウレタンパッドから構成されるものであって、ウレタンパッドはフレーム４を覆った状態でフレーム４に支持されて構成されている。フレーム４は、底面を備えた直方体の形状を有しており、その上面はフレーム４とは別部材となる図示しない上蓋で閉じられた構造となっている。フレーム４内部には、後述する側部２を回動させるための種々の機構が内蔵され、ウレタンパッドの外側表面は表皮１６で覆われている。
【００１５】
図２は、ヘッドレスト本体１と側部２の内部機構を記したものであり、図２（ａ）は通常状態、図２（ｂ）は使用状態を示している。また、（ａ）、（ｂ）ともに図中上方がヘッドレストの前方となる。そして、図３は、図２（ｂ）の状態における側部を拡大した図である。以下図２及び図３に基づいて詳述する。
【００１６】
まず、ヘッドレスト本体１は前述したフレーム４に固着されたステイ４ａにより、ヘッドレスト本体１の後方で座席の背もたれと連結されている。ヘッドレスト本体１の前方には、左右方向の中心でネジ山の向きが左右対称となっているスクリュ７を、フレーム４の左右両壁面内側に固着されたスクリュブラケット４ｄによって軸支している。また、ステイ４ａとスクリュ７の間にはフレーム４の一部として形成されている第一モーターブラケット４ｂによって第一モーター５が固定されている。そして、第一モーター５のギヤ５ａとスクリュ７を噛み合わせている。また、スクリュ７には、その回転とともに、左右方向にスライド移動するナット６が挿入されており、さらにそのナット６には、スクリュ７と平行に位置してスクリュ７の左右外側へのびる当接部材８が固定されている。また、フレーム４の左右両壁面の内側には、この当接部材８を挟んだ状態で位置して、当接部材が左右方向へスライド移動する際にガイドする板状のガイド部材４ｅがそれぞれ固着されており、このガイド部材４ｅと当接部材８の接触により、ナット６は、スクリュ７の回転の際、スクリュ７とともに回転することなく、左右方向へのスライド移動のみすることとなる。なお、フレーム４を含む前述した内部機構全体は、通常のヘッドレストと同じく半硬質のウレタンパッドで覆われており（図２中斜線部分）、さらにその外側が表皮１６で覆われている。
【００１７】
なお、表皮１６は、ヘッドレスト本体１だけでなく、前述したヘッドレスト本体１の両側に固定された側部２も含めてヘッドレスト全体を覆ってウレタンパッドに密着する一体の袋状のものであり、図示しないファスナーの開閉によって、ヘッドレスト本体１および側部２に対して脱着が可能となっている。ただし、ヘッドレスト本体１と側部２の連結部の前後表面は、表皮１６と密着させることなく、双方の間に隙間を設けることにより、側部２がヘッドレスト本体１に対して水平回動する際に、その回動の妨げとならないようになっている。
【００１８】
また、フレーム４には、左右外側方向に延びる側部ブラケット４ｃが左右両側でそれぞれ上下一対にして設けられており、この側部ブラケット４ｃには、支持部材９の回動軸９ａが固定されており、図示しない第二スプリングにより常時通常状態に位置する方向、すなわち図３中矢印ｅ方向に付勢されている。
【００１９】
そして、側部２はこの支持部材９によって支持されている。この支持部材９は、底面を備え上面が開口となった直方体の形状を有するもので、樹脂を材質とするものである。この支持部材９の内部には、支持部材９の底面から上方に延びてスピーカー３をその左右方向のほぼ中心位置で回動可能に軸支する軸支部材３ａと、支持部材後面から前方に延びて第二モーター１０を固定するブラケット９ｃが設けられている（図３参照）。また、スピーカー３が回動する際に支持部材９と接触しないように支持部材９の前面には開口が設けられている。
【００２０】
さらに、支持部材９に内設されるスピーカー３は、前述した軸支部材３ａを中心に、通常は図示しない第３スプリングによってスピーカー３の前面が側部２の前面と面一になる方向（図３中矢印ｈ方向）に付勢されている。
【００２１】
なお、前述したヘッドレスト本体１と同じく、側部２においても、支持部材９全体をウレタンパッド（図２中斜線部分）で覆っており、さらにその外側を前述した表皮１６で覆っている。
【００２２】
以上のように構成される本発明におけるスピーカー付きヘッドレストは、着座者がいない時は図２（ａ）に示すような通常状態に位置している。そのような状態から、着座者が座席に座ると、座席の背もたれに設けたセンサがそれを感知し、そのセンサから電気信号が発せられ、第一モーター５を一定時間回転させる。
第一モーター５が回転すると、ギヤ５ａを介して接続されているスクリュ７が回転する。その結果、スクリュ７と嵌合しているナット６がヘッドレスト本体の左右外側の方向へ移動する。それに伴ってナット６に固定されている当接部材８がガイド部材４ｅと接触しつつ、ヘッドレスト本体の左右外側の方向へスライド移動する。その後、当接部材８は、支持部材９の被当接部９ｂと当接して、当接部材８のスライド移動に伴い、被当接部９ｂがヘッドレスト外側方向へ押される。
それに伴って支持部材９は、前述した第二スプリングに抗して、回動軸９ａを中心として矢印ｆ方向へ水平回動する。その結果、側部２がヘッドレスト本体１に対して着座者側へ水平回動する（図３参照）。
【００２３】
なお、側部２の最適な回動角度は、側部２の長さや乗員の頭部の大きさによって適宜異なるが、本実施の形態においては、側部２前面の水平方向の長さがヘッドレスト本体１の前面の水平方向の長さのおおよそ１／２で、回動角度はおおよそ４５°である。
【００２４】
また、本実施の形態では、着座者をセンサが検知して自動的に回動させるようにしたが、図示しない操作スイッチにより着座者が任意で所望の角度に回動させることも考えられる。
【００２５】
次にスピーカー３の回動機構について述べる。前述したスピーカー３の後方には第二モーター１０が前述したブラケット９ｃに固定されており、ギヤボックス１２が支持部材９の内側に接着されている。この第二モーター１０の回転によりスライドピン１１が第二モーター１０に対して前方側垂直方向（図３中矢印ｉ方向）へスライド移動するよう、ギヤボックス１２を介して連結されている。このスライドピン１１は、通常はそのほぼ全体がギヤボックス１２内に収容されている。そして、第二モーター１０が回転することにより、スライドピン１１はギヤボックス１２の収容状態からスライド移動する。その際、スライドピン１１のスライド方向にスピーカー３が位置するため、スライドピン１１のスライド移動の際、スライドピン１１がスピーカー３の後部に当接し、さらにスライド移動する。その結果スピーカー３が前述した第三スプリングの付勢に抗して、回動軸を中心として着座者側（図３中矢印ｇ方向）へ水平回動することとなる。
【００２６】
なお、このモーター１０の回動は、側部２がヘッドレスト本体１に対して回動する際に自動的に回動するようにしてもよいし、側部２の回動とは別に図示しない操作スイッチにより、着座者が任意で回動させてもよい。この場合は、スピーカー３の回動角度を着座者の頭部の大きさに合わせて、最適な位置に調節できるという利点がある。
【００２７】
次に、着座者が座席から離れた際は、座席の背もたれに設けたセンサがそれを感知し、そのセンサから電気信号が発せられ、スクリュ７の回転によってナット６がヘッドレスト本体１の内部方向へ移動するよう、第一モーター５が一定時間回転する。その結果ナット６に固定されている当接部材８もガイド部材４ｅにガイドされて、支持部材９の被当接部９ｂから離れる方向に（ヘッドレスト本体１の内側方向）にスライド移動する為、前述した第二スプリングの付勢によって支持部材９は使用状態から通常状態へ位置する方向（図３中矢印ｅ方向）へ回動し、側部２は通常状態に戻る。
【００２８】
その際、第二モーター１０が回動してスライドピン１１をギヤボックス１２に収容する方向（図３中矢印ｊ方向）にスライド移動させる。その結果スライドピン１１がスピーカー３から離れ、スピーカー３は、前述した第三スプリングの付勢によって通常の状態になるように回動する（図３中矢印ｈ方向）。
【００２９】
なお、側部２の機構はヘッドレスト本体１の左右両側に、ヘッドレスト本体１に対して左右対称に設けられている。従って、スクリュ７の回転とともに、左右の側部２が左右対称に同時に回動する機構となっている。
【００３０】
次に本発明における第二の実施の形態について詳述する。図４は本発明における第二の実施の形態を図示したもので、図４（ａ）は通常状態、図４（ｂ）は使用状態を示している。また、（ａ）、（ｂ）ともに図中上方がヘッドレストの前方となる。そして、図５は、図４（ｂ）の状態における一方の側部を拡大した図である。以下図４及び図５に基づいて詳述する。
【００３１】
本発明におけるスピーカー付きヘッドレストにおける第二の実施の形態においては、ヘッドレスト本体１の内部の機構に関しては、前述した第一の実施の形態と同じであり、側部２の機構のみが異なる。この側部２は、前述した第一の実施の形態と同じく、支持部材１３で側部２を形成するウレタンパッドを支持してなるものである。この支持部材１３は、第一の実施例と同じく上方が開口して底面を有する直方体の形状をなすものであるが、図５に示すように、前述した当接部材８と当接する為の被当接部１３ｂが支持部材１３から後方に延長して形成されている。そして、支持部材１３の内部に内設されているスピーカー３が回動する際に、支持部材１３の前面と接触することやスピーカー３から発せられる音が支持部材１３の前面で遮られることを防ぐため、支持部材前面には開口部が設けられている。また、支持部材１３の後面には、後述する第一スプリング１５と接触することがないように開口が設けられている。
【００３２】
また、側部２に内蔵されるスピーカー３は、図中スピーカー３の下面の前方右側端部が、支持部材１３の下面に固定される軸支部材３ａと回動自在に固定されている。従って、スピーカー３は、図中前方右側の端部を中心として回動可能となっており、通常は第一の実施の形態で説明した第三スプリングによって使用状態から通常状態へ回動する方向（図５中矢印ｈ方向）へ付勢されている。
【００３３】
さらに、第二の実施の形態においては、固定部材１４がフレーム４の壁面外部に固定されており、この固定部材１４の先端には、第一スプリング１５の一端が回動自在に固定されている。そして、第一のスプリング１５の他端はスピーカー３のヘッドレスト本体１側壁面外側に固定されている。この第一スプリング１５とスピーカー３の固定位置は、スピーカー３におけるヘッドレスト本体１側壁面外側であれば、いずれの位置でもよいが、前方にするほど、スピーカー３の回動角度を大きくすることができる。
【００３４】
なお、固定部材１４は、使用状態において、ウレタンパッド（図中斜線部）と接触することがないよう、ウレタンパッドの一部に窪み部が設けられており、図５の状態時において、固定部材１４及びスプリング１５及びその連結部は、ウレタンパッドと接触しない構成となっている。
【００３５】
次に、第二の実施の形態における側部２の回動動作について説明する。
【００３６】
第二の実施の形態においては、第一の実施の形態と同じく着座者の着座を検知して第一モーター５が回動すると、当接部材８が左右方向の外側方向へスライド移動して被当接部１３ｂに当接し、ヘッドレスト本体１に対して外側方向へ押し出す。その結果、回動軸１３ａを回動中心として支持部材１３が着座者側に水平回動する。
【００３７】
そして、支持部材１３の回動により、側部２がヘッドレスト本体１に対して回動すると、側部２に固定されているスピーカー３の回動軸がそれとともに前方へ位置移動することになる。また、スピーカー３と固定部材１４の間隔が広がることとなる。その結果、側部２の回動とともに、スピーカー３と固定部材１４を連結する第一スプリング１５が伸張することとなる。そして、その伸張が大きくなるにつれて、第一スプリング１５からスピーカー３にかかる張力が大きくなる。
やがて、その張力が前述したスピーカー３を通常状態に回動する方向へ付勢する第三スプリングの付勢力を越えた時、スピーカー３は、通常状態から使用状態へ回動する方向（図５中ｇ方向）へ回動し始める。そして、側部２が回動して使用状態となってその回動を停止した時、伸張した第一スプリング１５が、固定部材１４に対して垂直に位置した状態となり、スピーカー３を通常状態から回動させた状態となる。
【００３８】
次に、着座者が座席から離れた際は、第一の実施の形態と同じく着座者を検知して、第一モーター５が回転することにより、当接部材８が被当接部１３ｂから離れる方向に（ヘッドレスト本体１の内側方向）にガイド部材４ｅにガイドされてスライド移動する為、前述した第二スプリングの付勢によって支持部材１３は使用状態から通常状態へ位置する方向（図５中矢印ｅ方向）へ回動し、側部２は通常状態に戻る。
【００３９】
その際、スピーカー３の位置が固定部材１４に近づくことになる為、スピーカー３に対する第一スプリングの張力がなくなる。その為、スピーカー３は、前述した第三スプリングの付勢により、図５中ｈ方向に回動し、通常状態に戻る。
【００４０】
なお、第一の実施の形態と同じく、第二の実施の形態においても、ヘッドレスト本体１の両側に同じ機構を有する側部２が左右対称に設けられ、スクリュ７の回転とともに、左右の側部２が左右対称に同時に水平回動する機構となっている。
【００４１】
以上、本発明におけるスピーカー付きヘッドレストについて、実施の形態を示したが、本発明はこれに限定されるものではない。
【００４２】
例えば、本発明における実施の形態では、座席の背もたれに設置したセンサで着座者の有無を検知し、着座者がいると判断した時は、電気信号によって、自動的に側部２をヘッドレスト本体１に対して着座者側水平方向に回動することとしている。しかし、センサを設けるのではなく、例えば内装壁などにスイッチを設け、着座者がそのスイッチの操作によって任意に側部２を回動させることも考えられる。
【００４３】
また、本発明における実施の形態では、車両用座席に使用するヘッドレストを示したが、本発明は、それに限らずあらゆる乗物に利用でき、また、映画館等に用いられる通常の固定式座席にも応用できる。
【図面の簡単な説明】
【図１】本発明の実施の形態におけるヘッドレストの通常状態（ａ）と、使用状態（ｂ）を示す斜視図
【図２】本発明の第一の実施形態におけるヘッドレストの通常状態（ａ）と、使用状態（ｂ）の内部の構造を示した平断面図
【図３】本発明の第一の実施形態における使用状態の側部２内部の状態を拡大して示した平断面図
【図４】本発明の第二の実施形態におけるヘッドレストの通常状態（ａ）と、使用状態（ｂ）の内部の構造を示した平断面図
【図５】本発明の第ニの実施形態における図３と同様の図
【符号の説明】
１ヘッドレスト本体
２側部
３スピーカー
４フレーム
５第一モーター
６ナット
７スクリュ
８当接部材
９支持部材
１０第二モーター
１１スライド部材
１２ギヤボックス
１３支持部材
１４固定部材
１５第一スプリング
１６表皮
【図１】
2005058287.tif 000003
【図２】
2005058287.tif 000004
【図３】
2005058287.tif 000005
【図４】
2005058287.tif 000006
【図５】
2005058287.tif 000007
【手続補正書】
【提出日】平成15年8月29日(2003.8.29)
【手続補正１】
【補正対象書類名】図面
【補正対象項目名】全図
【補正方法】変更
【補正の内容】
【図１】
2005058287.tif 000008
【図２】
2005058287.tif 000009
【図３】
2005058287.tif 000010
【図４】
2005058287.tif 000011
【図５】
2005058287.tif 000012